(57)【要約】      （修正有）【課題】梱包体である例えば段ボール箱等にフリーサイズの補強材として簡易に使用できるとともに、当該梱包体の運搬時における簡易なパレットとしても使用できるコーナー部材を提供する。【解決手段】コーナー部３を有し、平面三角形状を呈する耐荷重の大きい梱包体載置用の桁部２と、この桁部２のコーナー部３を含む両側面に添設した該桁部２より高さ寸法が大きい辺部４ａ、４ｂとを、通常段ボール材又は強化段ボール材等をはじめとする紙材により形成し、前記桁部２を、少なくとも段ボール箱３０等のような梱包体の底部の四隅のコーナー部に各々装着することで、梱包体の装着端面を梱包体載置面から浮上させるようにし、内部に各種商品を収容した種々の寸法の梱包体である段ボール箱等にフリーサイズの補強材として簡易使用できるとともに、梱包体のパレットとしても使用できるようにしたコーナー部材。【選択図】図１
0003102004.tif 000002
【実用新案登録請求の範囲】
【請求項１】
コーナー部を有し、平面三角形状を呈する耐荷重の大きい梱包体載置用の桁部と、この桁部のコーナー部を含む両側面に添設した該桁部より高さ寸法が大きい辺部とを、通常段ボール材又は強化段ボール材等をはじめとする紙材により形成し、
前記桁部を、所要数、梱包体の各コーナー部に装着することで、梱包体の装着端面を梱包体載置面から浮上させるようにし、
内部に各種商品を収容した種々の寸法の梱包体である段ボール箱等にフリーサイズの補強材として簡易使用できるとともに、梱包体のパレットとしても使用できるようにしたことを特徴とするコーナー部材。
【請求項２】
コーナー部を有し、平面四角形状を呈する耐荷重の大きい梱包体載置用の桁部と、この桁部のコーナー部を含む両側面に添設した該桁部より高さ寸法が大きい辺部とを、通常段ボール材又は強化段ボール材等をはじめとする紙材により形成し、
前記桁部を、所要数、梱包体の各コーナー部に装着することで、梱包体の装着端面を梱包体載置面から浮上させるようにし、
内部に各種商品を収容した種々の寸法の梱包体である段ボール箱等にフリーサイズの補強材として簡易使用できるとともに、梱包体のパレットとしても使用できるようにしたことを特徴とするコーナー部材。
【請求項３】
コーナー部を有し、平面三角形状を呈する耐荷重の大きい梱包体載置用の桁部と、この桁部のコーナー部を含む両側面に添設した該桁部より高さ寸法が大きい辺部とを、通常段ボール材又は強化段ボール材等をはじめとする紙材により形成した略三角柱状のコーナー部材と、
コーナー部を有し、平面四角形状を呈する耐荷重の大きい梱包体載置用の桁部と、この桁部のコーナー部を含む両側面に添設した該桁部より高さ寸法が大きい辺部とを、通常段ボール材又は強化段ボール材等をはじめとする紙材により形成した略四角柱状のコーナー部材と、
を所要の個数組み合わせて、
前記三角柱状のコーナー部材、四角柱状のコーナー部材の各桁部を、梱包体の各コーナー部に各々装着することで、梱包体の装着端面を梱包体載置面から浮上させるようにし、
内部に各種商品を収容した種々の寸法の梱包体である段ボール箱等にフリーサイズの補強材として簡易使用できるとともに、梱包体のパレットとしても使用できるようにしたことを特徴とするコーナー部材。
【請求項４】
前記コーナー部は、立方体又は直方体の隅部に形成されるコーナー部に対応するものであることを特徴とする請求項１乃至３のいずれかに記載のコーナー部材。
【請求項５】
前記コーナー部材は、段ボール箱等の梱包体の外側の少なくとも下側四隅のコーナー部に各々装着され、梱包体の装着端面を梱包体載置面から浮上させるようにしたことを特徴とする請求項１乃至４のいずれかに記載のコーナー部材。
【請求項６】
前記コーナー部材は、段ボール箱等の梱包体の内側のコーナー部と、梱包体内に収容される被梱包体の各コーナー部との間に各々装着され、前記被梱包体の各コーナー部に当接してこの被梱包体を保護するものであることを特徴とする請求項１乃至４のいずれかに記載のコーナー部材。
【請求項７】
コーナー部を画するコーナー桁部と、コーナー桁部の両側に配置される一対の辺側桁部とからなる３個構成の耐荷重の大きい梱包体載置用の桁部と、
コーナー桁部のコーナー部を含む外側面、一対の辺側桁部の外側面に添設するとともに前記桁部より高さ寸法が大きく、梱包ベルト架け渡し用の凹部を前記コーナー桁部、一対の辺側桁部の梱包体との当接面の位置に合致し、且つ、コーナー桁部と一対の辺側桁部との間の位置に形成した辺部とを、
通常段ボール材又は強化段ボール材等をはじめとする紙材により形成し、
前記桁部を、所要数、梱包体の各コーナー部に装着することで、梱包体の装着端面を梱包体載置面から浮上させるようにし、
内部に各種商品を収容した種々の寸法の梱包体である段ボール箱等にフリーサイズの補強材として簡易使用できるとともに、梱包体のパレットとしても使用できるようにしたことを特徴とするコーナー部材。
【請求項８】
コーナー部を画するコーナー桁部と、コーナー桁部の両側に配置される一対の辺側桁部とからなる３個構成の耐荷重の大きい梱包体載置用の桁部と、
コーナー桁部のコーナー部を含む外側面、一対の辺側桁部の外側面に添設するとともに前記桁部より高さ寸法が大きく、梱包ベルト架け渡し用の凹部を前記コーナー桁部、一対の辺側桁部の梱包体との当接面の位置に合致し、且つ、コーナー桁部と一対の辺側桁部との間の位置に形成した辺部と、
前記コーナー桁部、一対の辺側桁部の梱包体との当接面側に設置した当接板とを、
通常段ボール材又は強化段ボール材等をはじめとする紙材により形成し、
前記桁部を、所要数、前記当接板が梱包体の各コーナー領域に当接するように装着することで、梱包体の装着端面を梱包体載置面から浮上させるようにし、
内部に各種商品を収容した種々の寸法の梱包体である段ボール箱等にフリーサイズの補強材として簡易使用できるとともに、梱包体のパレットとしても使用できるようにしたことを特徴とするコーナー部材。
【請求項９】
前記コーナー部は、立方体又は直方体の隅部に形成されるコーナー部に対応するものであることを特徴とする請求項７又は８記載のコーナー部材。
【請求項１０】
前記コーナー部材は、段ボール箱等の梱包体の外側の少なくとも下側四隅のコーナー部に各々装着され、梱包体の装着端面を梱包体載置面から浮上させるようにしたことを特徴とする請求項７乃至９のいずれかに記載のコーナー部材。
【請求項１１】
前記コーナー部材は、段ボール箱等の梱包体の内側のコーナー部と、梱包体内に収容される被梱包体の各コーナー部との間に各々装着され、前記被梱包体の各コーナー部に当接してこの被梱包体を保護するものであることを特徴とする請求項７乃至９のいずれかに記載のコーナー部材。
【考案の詳細な説明】
【技術分野】
【０００１】
本考案は、段ボール材等からなる紙製のコーナー部材に関し、詳しくは、例えば各種産業機器、大型冷蔵庫等の各種商品を収容する段ボール箱等をはじめとする梱包体のコーナー部材に関するものである。
【背景技術】
【０００２】
従来、各種商品（例えば各種産業機器、大型冷蔵庫等）を収容した段ボール箱等をはじめとする梱包体の例えば底部等に配置されて当該梱包体及びその内部に収容されている商品を保護するための手段としては、発泡スチロール材等からなる保護材を梱包体内に入れたりするのが一般である。しかし、この場合、上記保護材が発泡スチロール材等を用いて形成されているため、リサイクル困難で、使い古した保護材は産業廃棄物となってしまうという問題があった。
【０００３】
また、従来、重量のある商品（例えば各種産業機器、大型冷蔵庫等）を収容した段ボール箱等の梱包体を運搬する際には、フォークリフトを使用するためにパレットが用いられるのが通常である。このようなパレットとしては、通常木材によりフォークリフトの爪が挿入可能な薄型直方体状に形成したものが多く使用されている。しかし、このパレットの場合には、木材を用いて形成されているため、リサイクル困難で、使い古したパレットは産業廃棄物となってしまうという問題があった。
【０００４】
特許文献１には、段ボールの波形に対して垂直方向に剛性を持つように組み立てた段ボール製のパレットが提案されている。
【０００５】
しかし、この特許文献１のパレットの場合、サイズが固定され搬送すべき梱包体の寸法の相違に対応できず、各々梱包体の寸法に対応したサイズのパレットを複数種容易しなければならないという問題があった。
【特許文献１】特開平０６−２３９３４５号公報
【考案の開示】
【考案が解決しようとする課題】
【０００６】
この種の分野の従来商品に鑑み、本考案が解決しようとする問題点は、リサイクル困難で産業廃棄物が生じる点、サイズが固定され梱包体の寸法の相違に対応できない点、用途が限定され総じて高価格になる点である。
【０００７】
このような状況に鑑み本考案の目的は、リサイクル容易で、産業廃棄物が生じることがなく、安価で、内部に各種商品（例えば各種産業機器、大型冷蔵庫等）を収容した種々の寸法の梱包体である例えば段ボール箱等にフリーサイズの補強材として簡易に使用できるとともに、当該梱包体の運搬時における簡易なパレットとしても使用できるコーナー部材を提供することにある。
【課題を解決するための手段】
【０００８】
本考案のコーナー部材は、これを段ボール材等の紙製で形成し、コーナー部を有し、平面三角形状を呈する耐荷重の大きい梱包体載置用の桁部と、この桁部のコーナー部を含む両側面に添設した該桁部より高さ寸法が大きい辺部とを、通常段ボール材又は強化段ボール材等をはじめとする紙材により形成し、前記桁部を、所要数、梱包体の各コーナー部に装着することで、梱包体の装着端面を梱包体載置面から浮上させるようにしたことを主要な特徴とする。
【考案の効果】
【０００９】
本考案のコーナー部材によれば、リサイクル容易で、産業廃棄物が生じることがなく、安価で、これを梱包体の外面に用いると、内部に各種商品（例えば各種産業機器、大型冷蔵庫等）を収容した種々の寸法の梱包体である例えば段ボール箱等にフリーサイズの補強材として簡易に使用できるとともに、当該梱包体の運搬時における簡易なパレットとしても使用できる場合の他、倉庫等において梱包体である例えば段ボール箱等の底面を床面等から浮上させて保管することができ、これを梱包体の内面に用いると、梱包体の内部に収容した物体の位置ずれ防止具として使用する場合等々に適用できる。
【００１０】
請求項１、２記載の考案によれば、コーナー部材自体が段ボール材等の紙製により形成されているのでリサイクル可能で産業廃棄物が生じないとともに、低価格化可能であり、更に、梱包体のコーナー部に個別に装着することで梱包体の寸法の相違に柔軟に対応できるとともに、当該コーナー部材にパレットとしての機能を発揮させることができる。
【００１１】
また、請求項３記載の考案によれば、平面三角形状、平面四角形状の桁部を有する各コーナー部材を組み合わせて請求項１、２記載の考案と同様な効果を奏することができる。
【００１２】
請求項４記載の考案によれば、立方体状又は直方体状の梱包体に装着して好適なコーナー部材を提供できる。
【００１３】
請求項５記載の考案によれば、物体である梱包体の外側の少なくとも下側四隅の各コーナー部にこのコーナー部材を各々装着することで、フォークリフトの爪挿入用の隙間を形成でき、フォークリフトによる運搬の便宜を図ることができる。
【００１４】
更に、請求項６記載の考案によれば、物体である梱包体の内側の各コーナー部と梱包体内に収容される被梱包体（各種商品）の各コーナー部との間にこのコーナー部材を各々装着することで、被梱包体の運搬時等の位置ずれを防止し保護することができ、用途の拡大を図ることができる。
【００１５】
請求項７、８記載の考案によれば、請求項１、２記載の考案の場合と同様、桁部、辺部、更には当接板が段ボール材等の紙製により形成されているのでリサイクル可能で産業廃棄物が生じないとともに、低価格化が可能であり、更に、梱包体のコーナー部に個別に装着することで梱包体の寸法の相違に柔軟に対応できるとともに、当該コーナー部材にパレットとしての機能を発揮させることができる。更にまた、辺部に一対の辺側桁部の梱包体との当接面の一致に合致し、且つ、コーナー桁部と一対の辺側桁部との間の位置に梱包ベルト架け渡し用の凹部を形成しているので、梱包ベルトの架け渡しによる梱包の容易化簡略化を図ることができる。
【００１６】
請求項９記載の考案によれば、請求項４記載の考案と同様、立方体状又は直方体状の梱包体に装着して好適なコーナー部材を提供できる。
【００１７】
請求項１０記載の考案によれば、請求項５記載の考案と同様、物体である梱包体の外側の少なくとも下側四隅の各コーナー部にこのコーナー部材を各々装着することで、フォークリフトの爪挿入用の隙間を形成でき、フォークリフトによる運搬の便宜を図ることができる。
【００１８】
更に、請求項１１記載の考案によれば、請求項６記載の考案と同様、物体である梱包体の内側の各コーナー部と梱包体内に収容される被梱包体（各種商品）の各コーナー部との間にこのコーナー部材を各々装着することで、被梱包体の運搬時等の位置ずれを防止し保護することができ、用途の拡大を図ることができる。
【考案を実施するための最良の形態】
【００１９】
本考案は、段ボール材等の紙製で形成され、コーナー部を有し、平面三角形状を呈する耐荷重の大きい物体載置用の桁部と、この桁部のコーナー部を含む両側面に添設した該桁部より高さ寸法が大きい辺部と、を紙材により形成し、前記桁部を少なくとも物体底部（装着端面）の四隅のコーナー部に各々装着することで物体の装着端面を物体載置面から浮上させ、これにより物体の装着端面と物体載置面との間に隙間を形成してフォークリフトの爪を挿入可能とし、リサイクル可能で産業廃棄物が生じないとともに、低価格化可能であり、梱包体の寸法の相違に柔軟に対応しつつパレットとしての機能を発揮させるものである。
【実施例】
【００２０】
以下に、本考案の実施例を詳細に説明する。図１は本実施例に係る段ボール箱等をはじめとする梱包体のコーナー部材１を示すものであり、このコーナー部材１は、直角を呈するコーナー部３を有し、且つ、平面三角形状を呈する耐荷重の大きい物体載置用の桁部２と、この桁部２のコーナー部３を含む両外側側面に添設した該桁部２より高さ寸法が大きい辺部４ａ、４ｂとを通常段ボール材又は強化段ボール材等をはじめとする紙材により略三角柱状に形成したものである。
【００２１】
前記桁部２は、２枚の通常段ボール材又は強化段ボール材等を重合するとともに、中央部に切り込みを入れて直角に折曲した外側桁部５と、この外側桁部５の内側に接着等で固着した三角柱状を呈する内側桁部６とを有している。
【００２２】
前記内側桁部６は、１枚の通常段ボール材又は強化段ボール材等を合計四箇所の切り込みを入れて折曲し、前記外側桁部５の両辺に掛け渡すようにする掛け渡し片６ａと、前記外側桁部５の両辺に当接する両当接片６ｂ、６ｂ’と、両当接片６ｂ、６ｂ’から前記掛け渡し片６ａの内側中央部に向けて重合した両重合片６ｃ、６ｃ’とを具備している。
【００２３】
前記各辺部４ａ、４ｂは、２枚の通常段ボール材又は強化段ボール材等を重合するとともに、その中央部に切り込みを入れて直角に折曲し、これら各辺部４ａ、４ｂを前記外側桁部５に対して底部が一致するように接着等により固着している。そして、前記辺部４ａ、４ｂの高さＨ２は、前記外側桁部５の高さＨ１より大きく（Ｈ２＞Ｈ１）設定している。
【００２４】
前記コーナー部材１のコーナー部３は、梱包体である例えば段ボール箱３０のような立方体又は直方体の隅部に形成されるコーナー部に対応する形状となっている。
【００２５】
図２乃至図４は、上述したコーナー部材１の具体的な一使用例の形態を示すものであり、梱包体である例えば段ボール箱３０等の合計８箇所の外面の各コーナー部に各々上述したコーナー部材１を装着し、更に、例えば、２本の各梱包ベルト３１、３１により片側４個ずつのコーナー部材１を縦方向に梱包する使用例を示すものである。
【００２６】
この場合の段ボール箱３０の底部側の４個のコーナー部材１と、段ボール箱３０等との位置関係を図３に示す。
【００２７】
また、合計８個のコーナー部材１を装着した段ボール箱３０等を物体載置面４０に置いた状態を図４に示す。図４に示すように、物体載置面４０に置かれた段ボール箱３０等は、底部側の４個のコーナー部材１の配置、存在により、その底部と物体載置面４０との間に隙間４１が形成される。すなわち、段ボール箱３０等におけるコーナー部材１の装着端面を物体載置面４０から浮上させることができる。
【００２８】
この結果、例えば図５に示すようなフォークリフト５０の爪５１を図２に示すように前記隙間４１に挿入しフォークリフト５０を操作することで、梱包体である例えば段ボール箱３０等を所望の箇所に運搬することが可能となる。
【００２９】
また、本実施例に係るコーナー部材１によれば、コーナー部材１自体が通常段ボール材又は強化段ボール材等をはじめとする紙材により形成されているので、リサイクル可能で産業廃棄物が生じないとともに、低価格化可能であり、更に、梱包体である段ボール箱３０等のコーナー部に個別に装着することで段ボール箱３０等の寸法の相違に柔軟に対応しつつフリーサイズの斬新なパレットとしての機能を発揮させることができる。
【００３０】
図６は、コーナー部材１の変形例であり、梱包体である例えば段ボール箱３０等の底部４隅又は上下部４隅に対して前記コーナー部材１に代替して装着するようにした通常段ボール材又は強化段ボール材等をはじめとする紙材からなるコーナー部材１１を示すものである。
【００３１】
このコーナー部材１１は、略直角三角形状で、両辺に一対の矩形状の折曲辺１１ａ、１１ａを備え、梱包体である例えば段ボール箱３０等の外面の底部又は上下部の各コーナー部上に角当て材１１の直角三角形状の部分を当接するとともに、一対の折曲辺１１ａ、１１ａを直角に折曲することで、前記のような隙間４１を形成する必要の無い梱包体である例えば段ボール箱３０等の底部又は上下部の各コーナー部に装着するようにしたものである。
【００３２】
図７は、本考案に係るコーナー部材１の変形例のコーナー部材１Ａを示すものである。このコーナー部材１Ａは、全体として略四角柱状に形成されている。
【００３３】
このコーナー部材１Ａは、直角を呈するコーナー部１３を有し、且つ、平面四角形状を呈する耐荷重の大きい物体載置用の桁部１２と、この桁部１２のコーナー部１３を含む両外側側面に添設した該桁部１２より高さ寸法が大きい辺部１４ａ、１４ｂとを通常段ボール材又は強化段ボール材等をはじめとする紙材により略四角柱状に形成したものである。
【００３４】
前記桁部１２は、複数枚（例えば３枚、４枚等）の通常段ボール材又は強化段ボール材等をはじめとする紙材を重合するとともに、これらを折り曲げ又は継ぎ合わせて空洞１２ａを有する直方体形状、すなわち四角柱状を呈するように形成している。
【００３５】
前記辺部１４ａ、１４ｂは、２枚の通常段ボール材又は強化段ボール材等をはじめとする紙材を重合するとともに、その中央部に切り込みを入れて直角に折曲し、これら辺部１４ａ、１４ｂを前記桁部１２に対して底部が一致するように接着等により固着している。前記辺部１４ａ、１４ｂの高さＨ２は、前記コーナー部材１の場合と同様、前記桁部１２の高さＨ１より大きく（Ｈ２＞Ｈ１）設定している。
【００３６】
前記コーナー部材１Ａのコーナー部１３は、梱包体である例えば段ボール箱３０等のような立方体又は直方体の隅部に形成されるコーナー部に対応する形状となっている。
【００３７】
図８は、前記コーナー部材１Ａを段ボール箱３０等の例えば底部の各コーナー部に４個装着した状態を示すものである。このようなコーナー部材１Ａを所要個数使用しても、前記コーナー部材１の場合と同様な作用効果を発揮させることができる。
【００３８】
図９は、前記コーナー部材１を２個、前記コーナー部材１Ａを２個組み合わせて、梱包体である例えば段ボール箱３０等の底部に装着した状態を示すものである。コーナー部材１、コーナー部材１Ａの組み合わせ個数は自在である。
【００３９】
この場合も前記コーナー部材１を４個使用する場合、又は前記コーナー部材１Ａを４個使用する場合と同様に、フォークリフト５０の爪５１を合計４個のコーナー部材１、１Ａが形成する前記隙間４１に挿入しフォークリフト５０を操作することで、段ボール箱３０等を所望の箇所に運搬することが可能となる。
【００４０】
図１０は、本考案の他例を示すものであり、既述したコーナー部材１を合計８個用い、例えば大型冷蔵庫のような被梱包体６０の底部４箇所、上部４箇所、合計８箇所のコーナー部に各々コーナー部材１を装着し、その外周全体を梱包体である段ボール箱６１等により梱包したものである。
【００４１】
この場合には、被梱包体６０の８箇所のコーナー部と段ボール箱６１等の合計８箇所のコーナー部との間に各々コーナー部材１が介在することになり、被梱包体５０の運搬時等の位置ずれを防止し保護することができ、コーナー用パレット１を位置ずれ防止具として活用でき、用途の拡大を図ることができる。
【００４２】
なお、この場合、コーナー部材１のみを使用する場合の他、コーナー部材１１、コーナー部材１Ａを使用したり、これらの各コーナー部材の組み合わせを使用することも勿論可能である。
【００４３】
また、産業廃棄物の点を無視して、梱包体である例えば段ボール箱等にフリーサイズ形態で使用できパレットとしても機能させることができるという機能面だけを考慮すると、前記コーナー部材１、コーナー部材１１、コーナー部材１Ａを木材又は合成樹脂材を用いて形成することも可能である。
【００４４】
以上各図に示すコーナー部材１、コーナー部材１１、コーナー部材１Ａのいずれのコーナー部材であっても、その使用時に、これを梱包体である例えば段ボール箱等の使用面に予め接着した後に梱包等するのは自在である。
【００４５】
また、コーナー部材１、コーナー部材１１、コーナー部材１Ａのいずれのコーナー部材においても、梱包体である例えば段ボール箱等の外部の他、内部の底部又は上下部の各４隅にも使用できることは勿論である。
【００４６】
更に、図１のコーナー部材１、図７のコーナー部材１Ａにおいて、４ａ、４ｂ又は１４ａ、１４ｂの各辺部のいずれか一方の辺部を削除してこれを構成すると、梱包体である例えば段ボール箱等のコーナー部以外の各辺部分にこれを介添し装着して梱包体の補強として用いることができる。
【００４７】
次に、図１１乃至図１３を参照して本考案の他の実施例について説明する。他の実施例のコーナー部材１Ｂは、図１１、図１２に示すように、コーナー部３を画する直方体状のコーナー桁部２２と、コーナー桁部２２の両側に配置される一対の直方体状の辺側桁部２３ａ、２３Ｂとからなる３個構成の耐荷重の大きい梱包体載置用の桁部２１と、コーナー桁部２２のコーナー部３を含む外側面、一対の辺側桁部２３ａ、２３ｂの外側面に接着等で添設される辺部２４とを、通常段ボール材又は強化段ボール材等をはじめとする紙材により形成している。
【００４８】
前記辺部２４は、前記桁部２１より高さ寸法が大きく、また梱包ベルト架け渡し用の凹部２５を、その最深部が前記コーナー桁部２２、一対の辺側桁部２３ａ、２３ｂの段ボール箱３０等との各当接面の位置に合致するように形成している。更に、前記凹部２５は、コーナー桁部２２と一対の辺側桁部２３ａ、２３ｂとの間の各位置に形成している。２５ａは前記凹部２５を形成するための折曲片である。
【００４９】
前記コーナー桁部２２、一対の辺側桁部２３ａ、２３ｂは、各々通常段ボール材又は強化段ボール材等を多重に積層し、直方体状に形成している。また、前記コーナー部３は、梱包体である例えば段ボール箱３０のような立方体又は直方体の隅部に形成されるコーナー部に対応する形状となっている。
【００５０】
図１３は、上述したコーナー部材１Ｂの具体的な使用例の形態を示すものであり、梱包体である例えば段ボール箱３０等の上・下合計８箇所の外面の各コーナー部に各々上述したコーナー部材１Ｂを各々装着し、更に、段ボール箱３０等の各面と平行方向で対向配置となる４個ずつのコーナー部材１Ｂにおける各凹部２５（段ボール箱３０等の各面と平行方向に４個ずつ、４面の組み合わせ）に挿入するようにして合計４本の梱包ベルト３１を井形状となるように各々架け渡す。これにより、合計８個のコーナー部材１Ｂを介して梱包ベルト３１による段ボール箱３０の梱包を行う。
【００５１】
この場合、図２に示す場合と同様、物体載置面４０に置かれた段ボール箱３０等は、底部側の４個のコーナー部材１Ｂの配置、存在により、その底部と物体載置面４０との間に隙間４１が形成される。すなわち、段ボール箱３０等におけるコーナー部材１Ｂの装着端面を物体載置面４０から浮上させることができる。この結果、図２に示す場合と同様、フォークリフト５０の爪５１を隙間４１に挿入しての運搬が可能となる。
【００５２】
また、前記コーナー部材１Ｂによれば、コーナー部材１Ｂ自体が通常段ボール材又は強化段ボール材等をはじめとする紙材により形成されているので、リサイクル可能で産業廃棄物が生じないとともに、低価格化が可能であり、更に、梱包体である段ボール箱３０等のコーナー部に個別に装着することで段ボール箱３０等の寸法の相違に柔軟に対応しつつフリーサイズの斬新なパレットとしての機能を発揮させることができる。更にまた、前記各凹部２５を利用して４本の梱包ベルト３１を井形状となるように各々架け渡すことで、梱包ベルト３１を用いた梱包作業の容易化、簡略化を図ることができる。
【００５３】
更に、前記コーナー部材１Ｂは、図示していないが、既述した図１０に示す場合と同様にして例えば大型冷蔵庫のような被梱包体の底部４箇所、上部４箇所、合計８箇所のコーナー部に各々コーナー部材１Ｂを装着し、その外周全体を梱包体である段ボール箱等により梱包すれば、被梱包体の運搬時等の位置ずれを防止し保護することができ、コーナー部材１Ｂを位置ずれ防止具として活用でき、用途の拡大を図ることができる。
【００５４】
次に、図１４、図１５を参照して本考案の他の実施例の変形例について説明する。この変形例のコーナー部材１Ｃは、上述したコーナー部材１Ｂの構成に加えて、前記コーナー桁部２２、一対の辺側桁部２３ａ、２３ｂの梱包体との当接面側に、やはり通常段ボール材又は強化段ボール材等をはじめとする紙材からなる平坦な当接板２６を接着等で設置したことが特徴である。この他の構成はコーナー部材１Ｂと同一である。
【００５５】
このようなコーナー部材１Ｃを用いても、上述したコーナー部材１Ｂの場合と同様な作用、効果を発揮させることができる。また、平坦な当接板２６を備えたことにより、コーナー部材１Ｃと梱包体である段ボール箱３０（又は図１０に示すような被梱包体６０）のコーナー部分との当接状態をより緩やかなものとすることができる。
【産業上の利用可能性】
【００５６】
本考案に係るコーナー部材は、リサイクル容易で、産業廃棄物が生じることがなく、安価で、これを梱包体の外面に用いると、内部に各種商品（例えば各種産業機器、大型冷蔵庫等）を収容した種々の寸法の梱包体である例えば段ボール箱等にフリーサイズの補強材として簡易に使用できるとともに、当該梱包体の運搬時における簡易なパレットとしても使用できる場合の他、倉庫等において梱包体である例えば段ボール箱等の底面を床面等から浮上させて保管することができ、これを梱包体の内面に用いると、梱包体の内部に収容した物体の位置ずれ防止具として使用する場合等々に適用できる。
【図面の簡単な説明】
【００５７】
【図１】本考案の実施例に係るコーナー部材の斜視図である。
【図２】本実施例に係るコーナー部材の使用状態の斜視図である。
【図３】本実施例に係るコーナー部材の段ボール箱底部に対する装着状態を示す平面図である。
【図４】本実施例に係るコーナー部材の段ボール箱に対する装着状態を示す正面図である。
【図５】運搬用のフォークリフトを示す斜視図である。
【図６】本実施例に係るコーナー部材に替えて使用する別のコーナー部材を示す斜視図である。
【図７】本実施例に係る変形例のコーナー部材の斜視図である。
【図８】本考案の実施例に係るコーナー部材の段ボール箱底部に対する装着状態を示す平面図である。
【図９】本実施例に係るコーナー部材と変形例のコーナー部材との組み合わせ状態を示す平面図である。
【図１０】本考案の実施例に係る他例を示す概略断面図である。
【図１１】本考案の他の実施例のコーナー部材の斜視図である。
【図１２】本考案の他の実施例の裏面側から見たコーナー部材の斜視図である。
【図１３】本考案の他の実施例のコーナー部材の使用状態の斜視図である。
【図１４】本考案の他の実施例の変形例のコーナー部材の斜視図である。
【図１５】本考案の他の実施例の裏面側から見たコーナー部材の斜視図である。
【符号の説明】
【００５８】
１    コーナー部材
１Ａ  コーナー部材
１Ｂ  コーナー部材
１Ｃ  コーナー部材
２    桁部
３    コーナー部
４ａ、４ｂ  辺部
５    外側桁部
６    内側桁部
６ａ  掛け渡し片
６ｂ、６ｂ’  当接片
６ｃ、６ｃ’  重合片
１１    コーナー部材
１１ａ  折曲辺
１２    桁部
１２ａ  空洞
１３    コーナー部
１４ａ、１４ｂ  辺部
２１    桁部
２２    コーナー桁部
２３ａ、２３Ｂ  辺側桁部
２４    辺部
２５    凹部
２５ａ  折曲片
２６    当接板
３０    段ボール箱
３１    梱包ベルト
４０    物体載置面
４１    隙間
５０    フォークリフト
５１    爪
６０    被梱包体
６１    段ボール箱
【図１】
0003102004.tif 000003
【図２】
0003102004.tif 000004
【図３】
0003102004.tif 000005
【図４】
0003102004.tif 000006
【図５】
0003102004.tif 000007
【図６】
0003102004.tif 000008
【図７】
0003102004.tif 000009
【図８】
0003102004.tif 000010
【図９】
0003102004.tif 000011
【図１０】
0003102004.tif 000012
【図１１】
0003102004.tif 000013
【図１２】
0003102004.tif 000014
【図１３】
0003102004.tif 000015
【図１４】
0003102004.tif 000016
【図１５】
0003102004.tif 000017